(57)【要約】      （修正有）【課題】通し糸の任意の位置に止め具を摺動させ、かつ停止させることを可能として、使用中においてもデザインや長さなどを変更できる装身具を提供する。【解決手段】止め具に通し糸を通して構成された装身具であって、止め具１１を、中空構造を有する中空体として、通し糸１２を通す貫通口を設け、かつ、通し糸に弾力的に接して抵抗を与え、通し糸上において止め具の位置を摺動可能にする弾力的材料より成る停止手段を、中空構造の内部に配置した構成を有するものとする。【選択図】図１
0003132331.tif 000002
【実用新案登録請求の範囲】
【請求項１】
止め具に通し糸を通して構成された装身具であって、
止め具を、中空構造を有する中空体とするとともに、通し糸を通す貫通口を設け、
上記通し糸上において止め具の位置を摺動可能にするために、通し糸に弾力的に接して抵抗を与える停止手段を、中空構造の内部に配置した構成を有する装身具。
【請求項２】
通し糸を２条通すことにより、止め具が通し糸をリング状にするバックル手段を構成する請求項１記載の装身具。
【請求項３】
止め具は装身具を構成する装飾要素であり、その複数個の装飾要素の止め具が、通し糸に摺動可能に、所要の間隔で配置されている請求項１記載の装身具。
【請求項４】
装身具を構成する装飾要素となる補助要素を有し、補助要素は、通し糸に移動自在に通して装飾要素間にて自由に位置を変える構成を有する請求項３記載の装身具。
【考案の詳細な説明】
【技術分野】
【０００１】
本考案は、止め具に通し糸を通して構成された装身具に関するものである。
【背景技術】
【０００２】
例えば、一般的なネックレスやブレスレットのように、通し糸に装飾要素を連ねて構成される装身具の類では、多数の装飾要素が隙間なく並んでいるのが普通である。このような装身具では、着用している人の動きによって装身具が揺れることで装飾効果を発揮する場合が多い。そのため、個々の装飾要素の光や色が重要な役割を果たす。
【０００３】
上記の装身具の場合、各装飾要素は一定の位置にあって、移動させることができないので、一旦購入後にデザインを変更することは不可能である。このような装身具は、変化に乏しいということから飽きられることも早い、と考えられる。しかし、購入後にデザインを変更することが可能な装身具は殆ど知られていない。例えば、特開２００１−３４６６１５号は、紐状部材又は台座に対して、安定した摩擦力で確実に取り付け、かつ、簡単に取り外し得る宝石、及び、その宝石を使用する装身具の発明を開示しているが、例示されている装身具は真珠のネックレスのように宝石を糸に貫いた構成のもののみである。
【０００４】
【特許文献１】特開２００１−３４６６１５号
【考案の開示】
【考案が解決しようとする課題】
【０００５】
本考案は前記の点に着目してなされたものであり、その課題は、通し糸の任意の位置に止め具を摺動させ、かつ停止させることが可能であり、使用中においてもデザインや長さなどを変更できる装身具を提供することである。
【課題を解決するための手段】
【０００６】
前記の課題を解決するため、本考案は、止め具に通し糸を通して構成された装身具について、止め具を、中空構造を有する中空体とするとともに、中空体に通し糸を通す貫通口を設け、上記通し糸上において止め具の位置を摺動可能にするために、通し糸に弾力的に接して抵抗を与える停止手段を、中空構造の内部に配置した構成を有するものとするという手段を講じたものである（請求項１記載の考案）。
【０００７】
本考案では、装飾要素を通し糸に通す構成を取るが、ここにおいて、通し糸とは、糸のように細長く、装飾要素を貫いて保持するものを意味している。従って、通し糸には、いわゆる糸のように細いものだけではなく、より太い糸や、紐に属するもの、或いは微少部品を多数連ねたチェーン等を含む。
【０００８】
通し糸を２条通すことにより、止め具を、通し糸をリング状にするバックル手段として使用することができる。つまり、通し糸は、１条だけではなく２条通すこともでき、その場合１本の通し糸であっても、止め具をバックルとして使用することにより、通し糸をリング状にすることができる（請求項２記載の考案）。
【０００９】
本考案における止め具は、中空構造を有する中空体であり、中空構造の止め具には、通し糸を通す貫通口が設けてあるものとする。貫通口は、止め具を貫く通し糸の通り道であるが、それだけではなく、次に述べる停止手段を中空構造部内に導入する、導入口の役割も持っている。
【００１０】
すなわち、通し糸に弾力的に接して抵抗を与え、通し糸上において止め具の位置を摺動可能にするために、弾力的材料より成る停止手段を中空構造部内に導入する。停止手段は例えばゴムのような弾力的材料より成り、通し糸に加圧接触することにより、止め具が勝手に動かない程度の抵抗を与える。
【００１１】
中空構造の止め具は、通し糸の任意の位置に摺動可能であり、かつ任意の位置で停止可能な部材である。また止め具は、通し糸上の任意の位置で停止可能であるだけではなく、装身具を構成する装飾要素ともなる。このような複数個の装飾要素の止め具は、通し糸に摺動可能に、所要の間隔で配置される構成を取る（請求項３記載の考案）。
【００１２】
任意の位置にて停止可能な止め具は、接して並べる必要がなく、隣り合う止め具同士の間隔も自由に決めることができる。しかし、装飾要素の止め具を数珠玉のように並べることも可能であり、その配列を自由に変更できる点は本考案の顕著な特徴である。
【００１３】
装身具を構成する装飾要素として、通し糸に移動自在に通して装飾要素間にて自由に位置を変える構成を有する補助要素を、止め具とともに使用することができる（請求項４記載の考案）。補助要素は、通し糸状を自由に移動して位置を変えることができるものであり、本考案の装身具に動的なアクセントを与え得る。
【考案の効果】
【００１４】
本考案は以上のように構成されかつ作用するものであって、停止手段により、通し糸の任意の位置に、止め具を摺動させ、かつ停止させることが可能であるから、使用中においても、装飾要素の位置を移動させてデザイン変えたり、長さを変更したりすることができる、という効果を奏する。また、摺動可能な止め具と自由に動く補助要素の組み合わせにより従来にない新規な装飾効果を発揮する装身具を提供することができる。
【考案を実施するための最良の形態】
【００１５】
以下、図示の実施形態を参照し、本考案の装身具１０について、より詳細に説明する。各図において、１１は止め具、１２は通し糸を示す。図１は、１個の止め具１１に、１本の通し糸１２の両端を通し、リング状にしたもので、止め具１１をバックルとして使用して構成した、装身具１０の例１である。例１では、止め具１１と通し糸１２とは、共に貴金属、宝石などの装飾性のあるものによって形成されている。
【００１６】
止め具１１は、中空構造を有する中空体から成り、その中空体の部分に、通し糸１２を通す貫通口１３、１４を設けている。貫通口１３、１４を有する止め具１１の詳細は、図４、図５に詳細に示しているとおりの構造を有するもので、後述する停止手段に応じて異なる開口度を有している。
【００１７】
止め具１１には、通し糸１２に弾力的に接して抵抗を与えることにより、通し糸上において止め具の位置を摺動可能にする弾力的材料より成る停止手段が、中空構造の内部に配置されている。図４に示す停止手段は、樹脂製のＯ−リング１５であり、上記中空な止め具１１の貫通口１３、１４から内部に挿入して配置したものである。これに対して、図５に示す停止手段は、貫通口１３′、１４′から上記中空な止め具１１′の内部に、負圧条件下で充填する公知の方法により設けられた樹脂材１６である。
【００１８】
停止手段は、内部に１条又は２条の通し糸１２を通すことができる通口１７、１７′を有している。なお、通口１７、１７′は、１条又は２条の通し糸１２よりも小さく、通し糸１２に弾力的に接する。例示されている止め具１１、１１′は球形であるが、球形のものに限定されないことは言うまでもないことである。
【００１９】
故に、符号１１、１１′で示される止め具は、全く同等に扱うことが可能であり、各図において、１１とあるものは１１′に置き換えることができ、置き換えても考案として異なるものではない。なお、図１に示した例１では、止め具１１を通し糸１２に沿って摺動させることで、リング２０を任意の直径に変えかつその直径を保持することができる。
【００２０】
図２は、通し糸１２に、複数個の止め具１１を、任意の間隔で位置決めして配置し、かつ、通し糸１２の一端に小輪１８を取り付け、その小輪１８に１個の止め具１１を取り付け、この止め具１１に、通し糸１２の一端を通した例２を示す。この例においても、止め具１１を通し糸１２に沿って摺動させることで、リング２０の直径を任意に変え、かつその直径を保持することができる。
【００２１】
図３は、複数個のリング２０、２０′、２０″を組み合わせて、１個の装身具１０を構成した例３を示す。その内の或るリング２０′、２０″は、装身具を構成する装飾要素となる補助要素１９を有しており、補助要素１９は、通し糸１２に移動自在に通して装飾要素間にて自由に位置を変える構成を有する。
【００２２】
図６に示す補助要素１９は、中空構造を有するものであるが、内部に通し糸１２を通す貫通口２１、２２を有するだけで、停止手段を有しておらず、従って、自由に通し糸１２に沿って移動することができる。なお、例３のリング２０、２０′、２０″は、他端部に取り付けた留め具２３、２４によってリング状に形成される。
【００２３】
このように、本考案によれば、構造がきわめて簡単で、部品数が少なく、服装や気分、或いは体型に応じて、自由にリングの長さ、構成装飾要素の位置などを変化させることが可能な装身具を実現することができる。しかも上記のような外観の変化を、１個の装身具により得ることができる。
【図面の簡単な説明】
【００２４】
【図１】本考案に係る装身具の例１を示す正面図。
【図２】同じく例２を示す正面図。
【図３】同じく例３を示す正面図。
【図４】本考案における停止手段の一例を示す断面図。
【図５】同じく停止手段の他例を示す断面図。
【図６】補助要素の断面図。
【符号の説明】
【００２５】
１０  装身具
１１、１１′  止め具
１２  通し糸
１３、１３′、１４、１４′、２１、２２  貫通口
１５  Ｏ−リング
１６  樹脂材
１７、１７′  通口
１８  小輪
１９  補助要素
２０、２０′、２０″  リング
２３、２４  留め具
【図１】
0003132331.tif 000003
【図２】
0003132331.tif 000004
【図３】
0003132331.tif 000005
【図４】
0003132331.tif 000006
【図５】
0003132331.tif 000007
【図６】
0003132331.tif 000008